(57)【要約】【課    題】表面にリン脂質ポリマーよりなる、早い吸液性、保液性、ＳＲ性、抗菌性、皮膚保護性等の複合的な機能を有する機能層を設けた、スポンジパフ、スポンジチップ、立毛パフ、化粧用ブラシ、化粧綿、あぶらとり紙、化粧チーフ、タオル、アイラッシュ又はネイルポリッシャー等の化粧用具の提供。【解決手段】表面に２−メタクリロイルオキシエチルホスホリルコリンモノマーからなるホモポリマー、ＭＰＣとブチルメタリレートからなるコポリマー又はＭＰＣと２−ヒドロキシ−３−メタクリロイルオキシプロピルトリメチルアンモニウムクロリドとからなるコポリマーリン脂質ポリマーの機能層を設けて吸液性、抗菌性等を改善した化粧用具。【選択図面】  なし【特許請求の範囲】
【請求項１】
表面にリン脂質ポリマーの改質機能層が設けられてなることを特徴とする化粧用具。
【請求項２】
上記リン脂質ポリマーが、２−メタクリロイルオキシエチルホスホリルコリン（ＭＰＣ）モノマーからなるホモポリマー、ＭＰＣとブチルメタリレートからなるコポリマー又はＭＰＣと２−ヒドロキシ−３−メタクリロイルオキシプロピルトリメチルアンモニウムクロリドとからなるコポリマーから選ばれたものであることを特徴とする請求項１に記載の化粧用具。
【請求項３】
上記化粧用具が、スポンジパフ、スポンジチップ、立毛パフ、化粧用ブラシ、筆、化粧綿、あぶらとり紙、化粧チーフ、タオル、アイラッシュ又はネイルポリッシャーから選ばれたものであることを特徴とする請求項１又は２に記載の化粧用具。
【請求項４】
上記改質機能が、早い吸液性、保液性、ＳＲ性、抗菌性又は皮膚保護性から選ばれた少なくとも一種以上の性質であることを特徴とする請求項１〜３のいずれかの化粧用具。
【発明の詳細な説明】
【技術分野】
【０００１】
本発明は、化粧用具の表面にリン脂質ポリマーの改質機能層が設けられてなる化粧用具に関する。
また、本発明は、化粧用具の表面にリン脂質ポリマーよりなる、早い吸液性、保液性、ＳＲ性、抗菌性、皮膚保護性等の複合的な機能を有する改質機能層を設けた化粧用具に関する。
更に詳しくは、本発明は、ＭＰＣのホモポリマー又はコポリマーからなるリン脂質ポリマーを設けて、早い吸液性、含水ゲルの形成による優れた保液性、化粧料による汚れが容易に落とせるＳＲ性（易脱汚性）、スキンケア効果による皮膚保護性、微生物の増殖がなく臭気の発生のない抗菌性等の複合機能層を備えた化粧用具に関する。
【背景技術】
【０００２】
吸液性の優れた化粧用具を得るために、化粧用具素材として吸水性の優れた繊維を使用することは古くから試みられている。例えば、吸水性繊維を得る方法として、アニオン性化合物として多価フェノール化合物で処理して、次いでカチオン性吸水加工剤としてポリアミド化合物又はラノリン誘導体化合物で処理して、繊維表面に錯体を形成することによる合成繊維の吸水加工の改善が知られている（特公昭６１−０４９４２７号公報）。
また、スルホン酸金属塩化合物を原料ポリエステルに添加して溶融紡糸して吸水性ポリエステル繊維を得ている（特開平２−３０７９７１号公報）。しかし、これらの方法では、親水性が得られても表面に複合的な機能層を設けることはできないので、これらの吸水性繊維を用いても機能性を備えた化粧用具とすることはできない。
【０００３】
そこで、酸性基を有するビニル系モノマーをグラフト重合した後にアルカリ処理を行い、しかる後に紫外線を照射する合成繊維の吸水加工方法（特開平０４−１４５５５９号公報）、芳香族ジカルボン酸又はその低級アルキルエステルと、アルキレングリコールよりなるスルファミン酸を反応したポリエステル繊維の吸水加工剤により、帯電防止効果と吸水効果が得られるとしている（特開平０９−０７８４５７号公報）が、これらで得られた吸水性繊維でも、含水ゲル層は形成されるが複合機能はなく、機能面でも経済性の面でも化粧用具の素材として適していなかった。
【０００４】
また、化粧料の改良も提案されており、含水ゲルの形成では、ポリアクリル酸と水と架橋剤により形成される含水ゲルを含むパック化粧料（特開昭５８−１８０４０８号公報）があるが、この含水ゲルは化粧用具に固定することができないので、ポリ−γ−グルタミン酸を基材に塗布して、乾燥時に架橋剤としてエチレングリコールジグリシジルエーテルを用いて保湿ジェルシートを得ている（特開２００３−１１３０３８号）が、いずれも複合的な機能層を設けることはできず、化粧用具に使用するには適していなかった。
【０００５】
【特許文献１】特公昭６１−０４９４２７号
【特許文献２】特開平０２−３０７９７１号
【特許文献３】特開平０７−１４５５５９号
【特許文献４】特開平０９−０７８４５７号
【特許文献５】特開昭５８−１８０４０８号
【特許文献６】特開２００３−１１３０３８号
【発明の開示】
【発明が解決しようとする課題】
【０００６】
化粧用具は、本来、使用性については、粉末状化粧料の使用時の飛散が少ないこと、液状化粧料の使用時の早い吸液性と含みがよくて肌での伸びがよいこと、リムーバー等では含液が多くても液垂れのしないことや肌から除去成分の拭取り効果のよいこと等が求められており、化粧用具自体には、ＳＲ性（易脱汚性）、抗菌性、皮膚保護性等の機能性が求められていた。
そこで、本発明では、これらの使用性及び機能性の両者を複合的に備えた化粧用具とするために、化粧用具の表面又はスポンジ体の内部表面にリン脂質ポリマーの機能層を設けることによって、上記課題を解決した化粧用具を提供することを課題とする。
【課題を解決するための手段】
【０００７】
本発明は、下記の構成を基本とするものである。
（１）化粧用具の表面にリン脂質ポリマーの改質機能層が設けられてなることを特徴とする化粧用具。
（２）上記リン脂質ポリマーが、２−メタクリロイルオキシエチルホスホリルコリン（ＭＰＣと略記する）モノマーからなるホモポリマー、ＭＰＣとブチルメタリレートからなるコポリマー又はＭＰＣと２−ヒドロキシ−３−メタクリロイルオキシプロピルトリメチルアンモニウムクロリドとからなるコポリマーから選ばれたものであることを特徴とする（１）に記載の化粧用具。
（３）上記化粧用具が、スポンジパフ、スポンジチップ、立毛パフ、化粧用ブラシ、筆、化粧綿、あぶらとり紙、化粧チーフ、タオル、アイラッシュ又はネイルポリッシャーから選ばれたものであることを特徴とする（１）又は（２）に記載の化粧用具。
（４）上記改質機能が、早い吸液性、保液性、ＳＲ性、抗菌性又は皮膚保護性から選ばれた一種以上の性質からなる複合的機能であることを特徴とする（１）〜（３）のいずれかの化粧用具。
【０００８】
本発明において、素材としてスポンジ体を使用する場合には、スポンジ原料にリン脂質ポリマーを配合し、これを発泡させることによって、スポンジ体の起泡内部の表面にリン脂質ポリマーの機能層を設けてもよい。既発泡のスポンジ体の場合には、加熱吸収法でも含浸法でも起泡内部の表面にリン脂質ポリマーの機能層を設けることができる。
また、化粧用具素材として、スポンジ体以外の素材を使用する場合には、リン脂質ポリマーにより化粧用具表面に機能層を設けたり、化粧用具素材に対してリン脂質ポリマーの加熱水溶液によって吸着させるか、リン脂質ポリマーの水溶液を含浸してから加熱する方法がある。あぶらとり紙では、噴霧又は塗布による方法もあるが、パルプを水に分散した白水にリン脂質ポリマーをパルプ量に対して０．１〜１．０重量％添加して、パルプに吸着させて抄紙して加熱することにより、スーパーキャレンダーを省略する方法を行うこともできる。
【０００９】
本発明において、加熱吸着による吸着量は、化粧用具素材に0.3〜3.00重量％の吸着でよいが、使用するリン脂質ポリマーの水溶液濃度は、0.1〜５重量％溶液を用いることができるが、0.3〜3.0重量％が好ましい範囲である。
加熱水溶液吸着法では、染色と同様な熱湯処理により90〜120℃の温度で、20〜60分間の処理で吸着を行う。それ以下の温度でも吸着するが、吸着率が低い。
吸着が、不十分であると、耐久性が悪く、吸着の配位構造による含水ゲル性と抗菌性の性能が低下する。含浸法では、用具素材に該処理液を、塗布、スプレー、浸漬により含浸して熱風により加熱するが、ウレタン系やエポキシ系のバインダーの併用を妨げるものではない。
【００１０】
本発明で使用に適したリン脂質ポリマーは、２−メタクリロイルオキシエチルホスホリルコリン（「ＭＰＣ」と略記する）モノマーからなるホモポリマー（商品名；リピジュアーＨＭ（日本油脂(株)製品））があるが、ＭＰＣポリマーナノ粒子分散液として、リン脂質ポリマーにより化粧用具の表面にラメラ層を形成できるリン脂質ポリマーとして、リピジュアーＮＳ（日本油脂(株)製品）がある。  その他、ＭＰＣとブチルメタリレートからなるコポリマーとして、リピジュアーＰＭＢ（日本油脂(株)製品）、ＭＰＣと２−ヒドロキシ−３−メタクリロイルオキシプロピルトリメチルアンモニウムクロリドとからなるコポリマーとして、リピジュアーＣ（日本油脂(株)製品）がある。  
【００１１】
【化１】
2006061390.tif 000002
【００１２】
本発明において、ホスホリルコリン成分により複合的な改質機能が得られ、抗菌効果を得るには、上記リピジュアーＣのように第４級アンモニウム塩基を有する化合物が好ましい。抗菌性は、化粧用具としての衛生性の外に、本発明により機能層に含水ゲルの形成により、細菌の増殖や臭気の発生が問題になるので、その防止する意味において重要である。
【００１３】
上記成分は、加熱により用具表面に吸着して機能層を形成する。機能層の付与により、立毛パフではパウダリー化粧料の周囲への飛散を防止して使用効果を高めることができる。スポンジパフやスポンジチップ、化粧用ブラシ、化粧綿、化粧タオル又はガーゼでは化粧液の含みがよくなり、塗布の肌へののびがよくなり、液の垂れることはない。アイラッシュやネイルポリッシャーでは皮膚に対する安全性を高め抗菌性が得られる。
【発明の効果】
【００１４】
本発明においては、加熱により吸着付与された改質機能層として、１）早い吸液性があり、液体を瞬時に吸収する、２）80％相対湿度条件で機能層の40〜50重量％に相当する水分を吸湿して含水ゲルを形成し、さらに水分を付与した場合には多量の水を保つ保水層を形成する、３）化粧料による汚れが容易に除去されるＳＲ性を有する、４）抗菌性を有するので、細菌の増殖がなく臭気の発生することがない、５）リン脂質成分によりスキンケア効果を有するので、肌に用いる化粧用具として肌に優しい、等の特徴がある。
あぶらとり紙では、本発明の成分を用いることにより吸脂の吸収がよく、インジケート効果がよくなる。化粧用パフは使用により化粧料で汚れて洗濯による除去が困難であったが、本発明によれば洗濯により容易に汚れが落ちて清潔を保つことができる。皮膚の保護性については、化粧用具は肌に直接用いることからリン脂質ポリマーは肌荒れ制御効果があるので、鋭敏肌の人にも安全である。
本発明の方法とその効果について、以下の実施例によって詳細に説明する。
【実施例１】
【００１５】
表１に示す素材に、リン脂質ポリマーとして、リピジュアーＨＭ（日本油脂株式会社製品）、リピジュアーＣ（日本油脂株式会社製品）を用いて、それぞれ0.8重量％水溶液にして、これに試料を浸漬して、105℃で、60分、加熱吸着処理を行い、次いで水洗して脱水乾燥した。
【００１６】
【表１】
2006061390.tif 000003
【００１７】
処理した上記試料番号１〜４の試料の機能性を形成する量、大腸菌に対する抗菌性、吸水の早さを表２に示す。
【００１８】
【表２】
2006061390.tif 000004
【００１９】
機能層の量は、100℃の熱風乾燥機で、30分乾燥して絶乾状態にして用具素材の重量増加率により求めた。
比較例は、未処理試料の値である。
抗菌性は、大腸菌２×10７を植菌して24時間培養後、寒天平板混釈法により菌数を測定した残存する菌数を示した。
なお、表中の平滑性は感触の相異を示したもので、◎＞○＞×の順に◎が最も平滑であり、×は悪い。
化粧綿、あぶらとり紙については、リピジュアーＰＭＢ１重量％液を塗布して100℃の熱風乾燥を行った。
機能層の量、抗菌性、吸水の速さを測定した結果を表３に示す。
【００２０】
【表３】
2006061390.tif 000005
【００２１】
アイラッシュ（付け睫）をリピジュアＣ０．５重量％水溶液に浸漬して１００℃で５０分吸着処理を行い遠心脱水して乾燥して、抗菌性と吸水の速さの測定結果を表４に示した。
ネイルポリッシャー（爪磨き）については、砥粒を基材に塗布する際に、塗布液にリピジュアＣを０．４重量％含有して研磨剤を製作してその製品の抗菌性と吸水性を表４に示した。比較例は未処理試料の値である。抗菌性は大腸菌２．５×１０7を植菌して２４時間培養後の菌数を測定して示した。
【００２２】
【表４】
2006061390.tif 000006